(57)【要約】【課題】  大容量の記録媒体を複数の領域に分けてフォーマットする場合の複雑な指定と手間を不要にする。【解決手段】  記録メディア１０６の記録容量が互換フォーマットで管理できる記録容量であれば（Ｓ２０２）、互換フォーマットの初期化をユーザに提示する選択肢の初期値とする（Ｓ２０３）。互換フォーマットで管理できる記録容量を越えている場合で（Ｓ２０２）、前回の初期化構成がパーティション分割していたときには（Ｓ２０４）、前回の初期化構成による分割フォーマットを初期値とし、前回の初期化構成がパーティション分割していないときには（Ｓ２０４）、拡張フォーマットを初期値とする（Ｓ２０６）。初期化メニューをユーザに提示し（Ｓ２０７）、ユーザの選択に従い（Ｓ２０８）、領域分割及びフォーマットを実行する（ＳＤ２０９〜Ｓ２１１）。【選択図】  図２
2006146840.tif 000002
【特許請求の範囲】
【請求項１】
記録媒体に複数の領域を作成する領域作成手段と、
前記領域を所望の形式でフォーマットするフォーマット手段と、
前記領域の個数及びそれら各領域の記録容量をユーザに指定させる領域作成指定手段と、
前記各領域のフォーマットの種類をユーザに指定させるフォーマット指定手段と、
前記領域作成指定手段と前記フォーマット指定手段とにより指定された、前記領域の個数と各領域の容量とフォーマットの種類からなる初期化構成情報を作成する初期化構成情報作成手段と、
前記初期化構成情報に従って前記記録媒体を初期化する記録媒体初期化手段と、
前記記録媒体初期化手段による初期化処理後に、前記初期化構成情報を保存する初期化構成保存手段と、
次回の記録媒体初期化時に、前記初期化構成情報保存手段に保存した前回の初期化構成情報を初期化方法の選択肢の一つとしてユーザに提示する初期化選択肢提示手段
とを具備することを特徴とする画像データ記録装置。
【請求項２】
前記記録媒体は着脱可能な記録媒体であることを特徴とする請求項１に記載の画像データ記録装置。
【請求項３】
更に、
前記記録媒体の容量を検出する記録媒体容量検出手段と、
前記記録媒体の容量と、前記記録媒体初期化手段による初期化処理時に用いた前記初期化構成情報とを組み合わせて前期初期化構成保存手段に保存する初期化構成情報データベース手段
とを具備し、
次回に前記記録媒体を初期化する際に、前記初期化選択肢提示手段は、前記初期化構成データベース手段から初期化する記録媒体の容量に対応した、前期初期化構成情報を取り出して初期化方法の選択肢の一つとしてユーザに提示することを特徴とする請求項２に記載の画像データ記録装置。
【請求項４】
更に、
前記記録媒体が装着されたことを検知する記録媒体検知手段と、
前記記録媒体が装着された際に、前記初期化構成記憶手段に記憶した前回の初期化構成を初期化方法の候補としてユーザに提示する装着時初期化手段
とを具備することを特徴とする請求項２又は３に記載の画像データ記録装置。
【請求項５】
更に、前記装着時初期化手段の起動に関し有効・無効の切り替えを設定する装着時初期化起動設定手段を備えることを特徴とする請求項４に記載の画像データ記録装置
【請求項６】
記録媒体に複数の領域を作成する領域作成手段と、
前記領域を所望の形式でフォーマットするフォーマット手段と、
前記領域の個数及びそれら各領域の記録容量をユーザに指定させる領域作成指定手段と、
前記各領域のフォーマットの種類をユーザに指定させるフォーマット指定手段と、
前記記録媒体の領域数を解析する記録媒体解析手段
とを具備し、領域が複数あった場合は、前記記録媒体の初期化時に、領域を１つとする方法を初期化方法の初期値としてユーザに提示することを特徴とする画像データ記録装置。
【請求項７】
前記記録媒体は着脱可能な記録媒体であることを特徴とする請求項６に記載の画像データ記録装置。
【請求項８】
更に、
前記記録媒体が装着されたことを検知する記録媒体検知手段と、
前記記録媒体が装着された際に、領域を１つとする方法を初期化方法の初期値としてユーザに提示する装着時初期化手段
とを備えることを特徴とする請求項７に記載の画像データ記録装置。
【請求項９】
更に、前記装着時初期化手段の起動に関し有効・無効の切り替えを設定する装着時初期化起動設定手段を備えることを特徴とする請求項８に記載の画像データ記録装置。
【発明の詳細な説明】
【技術分野】
【０００１】
本発明は、デジタル動画像データ及び静止画像データ等の画像データを着脱可能な記録媒体に記録する画像データ記録装置に関する。
【背景技術】
【０００２】
デジタルカメラ等に用いられるメモリカードのような、着脱可能な記録メディアの大容量化が進み、現在一般的に用いられているＦＡＴ１２又はＦＡＴ１６のフォーマットでは、メモリカードの記録容量の全てを使用することができなくなることが考えられる。しかし、記録メディアの全記録容量を扱うためにＦＡＴ３２のような大容量を扱える方式でフォーマットした場合、既存のデジタルカメラで使用不可となることが考えられる。
【０００３】
そこで、既存のデジタルカメラとの互換性を保ちながら、記録メディアの記録容量の全てを使用可能とする方法として、パーソナルコンピュータ等に内蔵されるハードディスクで一般的に行われるような、１つのメディアを複数のパーティションに分割し、それぞれのパーティションを異なる形式でフォーマットする方法を用いる方法が検討されている。例えば、先頭のパーティションを既存のデジタルカメラで認識可能なＦＡＴ１２又はＦＡＴ１６でフォーマットし、その他のパーティションは、ＦＡＴ３２のような大容量を扱えるファイルシステムでフォーマットする。
【発明の開示】
【発明が解決しようとする課題】
【０００４】
しかし、着脱可能な記録メディアを複数のパーティションに分割し、複数種類のフォーマットを混在させる場合、一般的なユーザにとって、記録メディアを初期化する際に、各パーティションの記録容量とフォーマット形式をユーザが指定する手間がかかり、従来の単純な初期化方法に対して操作が複雑になることが予想される。
【０００５】
本発明は上記のような点に鑑みてなされたものであり、記録媒体上に複数のパーティションを作成し、複数のフォーマットを混在させる場合に、ユーザの操作性を改善した画像データ記録装置を提示することを目的とする。
【課題を解決するための手段】
【０００６】
本発明に係る画像データ記録装置は、複数の領域を作成する領域作成手段と、領域を所望の形式でフォーマットするフォーマット手段と、領域の個数及びそれら各領域の記録容量をユーザに指定させる領域作成指定手段と、各領域のフォーマットの種類をユーザに指定させるフォーマット指定手段と領域作成指定手段とフォーマット指定手段とにより指定された、領域の個数と各領域の容量とフォーマットの種類からなる初期化構成情報を作成する初期化構成情報作成手段と、初期化構成情報に従って記録媒体を初期化する記録媒体初期化手段と、記録媒体初期化手段による初期化処理後に、初期化構成情報を保存する初期化構成保存手段と、次回の記録媒体初期化時に、初期化構成情報保存手段に保存した前回の初期化構成情報を初期化方法の選択肢の一つとしてユーザに提示する初期化選択肢提示手段とを具備することを特徴とする。
【０００７】
本発明の他の画像データ記録装置は、さらに、前記記録媒体が着脱可能な記録媒体であることを特徴とする。
【０００８】
本発明の他の画像データ記録装置は、さらに、前記記録媒体の容量を検出する記録媒体容量検出手段と、記録媒体の容量と、記録媒体初期化手段による初期化処理時に用いた初期化構成情報とを組み合わせて初期化構成保存手段に保存する初期化構成情報データベース手段とを具備し、次回、前記記録媒体を初期化する際に、初期化選択肢提示手段は、初期化構成データベース手段から初期化する記録媒体の容量に対応した、初期化構成情報を取り出して初期化方法の選択肢の一つとしてユーザに提示することを特徴とする。
【０００９】
本発明の他の画像データ記録装置は、さらに、前記記録媒体が装着されたことを検知する記録媒体検知手段と、記録媒体が装着された際に、初期化構成記憶手段に記憶した前回の初期化構成を初期化方法の候補としてユーザに提示する装着時初期化手段とを具備することを特徴とする。
【００１０】
本発明の他の画像データ記録装置は、さらに、記載の画像データ記録装置において、前記装着時初期化手段の起動に関し有効・無効の切り替えを設定する装着時初期化起動設定手段を備えることを特徴とする。
【００１１】
本発明の他の画像データ記録装置は、記録媒体に複数の領域を作成する領域作成手段と、領域を所望の形式でフォーマットするフォーマット手段と、領域の個数及びそれら各領域の記録容量をユーザに指定させる領域作成指定手段と、各領域のフォーマットの種類をユーザに指定させるフォーマット指定手段と、記録媒体の領域数を解析する記録媒体解析手段とを具備し、領域が複数あった場合は、記録媒体の初期化時に、領域を１つとする方法を初期化方法の初期値としてユーザに提示することを特徴とする。
【００１２】
本発明の他の画像データ記録装置は、さらに、前記記録媒体は着脱可能な記録媒体であることを特徴とする。
【００１３】
本発明の他の画像データ記録装置は、さらに、前記記録媒体が装着されたことを検知する記録媒体検知手段と、記録媒体が装着された際に、領域を１つとする方法を初期化方法の初期値としてユーザに提示する装着時初期化手段とを具備することを特徴とする。
【００１４】
本発明の他の画像データ記録装置は、さらに、前記装着時初期化手段の起動に関し有効・無効の切り替えを設定する装着時初期化起動設定手段を備えることを特徴とする。
【発明の効果】
【００１５】
本発明によれば、記録媒体上に複数のパーティションを作成し、複数種のフォーマットを混在させる場合に、記録媒体を初期化する際の操作性を向上させるインタフェースを提供することが可能となる。
【発明を実施するための最良の形態】
【００１６】
以下、図面を参照して、本発明の実施例を詳細に説明する。
【００１７】
図１は本発明の一実施例を適用したデジタルカメラの概略構成ブロック図である。
【００１８】
１００はレンズである。１０１はレンズ１００から入射された映像を電気信号に変換するＣＣＤ撮像素子である。１０２はＣＣＤ撮像素子１０１により得られた信号を所望の画像データに変換する信号処理回路である。
【００１９】
１０３はシステム全体を制御するＣＰＵである。１０４はＣＰＵ１０３に対して操作コマンドを入力するためのコントローラであり、ユーザがデジタルカメラを操作するための十字キー及び決定ボタン等を具備する。
【００２０】
１０５はメモリである。メモリ１０５は、ユーザの選択した初期化構成を記録する不揮発性のメモリを具備する。
【００２１】
１０６は着脱可能な記録メディアである。１０７は記録メディア制御回路であり、記録メディア１０６との通信プロトコルを制御し、ＣＰＵ１０３からの制御で記録メディア１０６にアクセスし、データの読み書きを行う。
【００２２】
１０８はモニタである。１０９はＯＳＤ（Ｏｎ  Ｓｃｒｅｅｎ  Ｄｉｓｐｌａｙ）回路であり、ＣＰＵ１０３からの制御でモニタ１０８に対して文字又は絵を用いたメニュー等を表示する。モニタ１０８は、コントローラ１０４と共にユーザインタフェースを提供する。
【００２３】
図２は、記録メディア１０６を初期化する際のＣＰＵ１０３における処理動作を示すフローチャートである。
【００２４】
ユーザによるコントローラ１０４からの操作をＣＰＵ１０３が受けると、ＣＰＵ１０３は、記録メディア１０６の初期化処理を開始し、記録メディア制御回路１０５を制御して記録メディア１０６の記録容量を取得する（ステップＳ２０１）。
【００２５】
次に、ステップＳ２０１で取得した記録容量がＦＡＴ１２又はＦＡＴ１６のような既存のデジタルカメラと互換性のあるフォーマットで管理できる記録容量であるか否か判定する（ステップＳ２０２）。
【００２６】
ステップＳ２０２において互換フォーマットのみで管理できると判定した場合は、パーティションを１つとし、互換フォーマットのみで初期化する構成をユーザに提示する選択肢の初期値とする（ステップＳ２０３）。その際、ユーザに提示する選択肢の名前として、そのまま「ＦＡＴ１６」という名称を用いても良いが、専門用語を避け、「互換フォーマット」のような用途を抽象化した名称を用いてもよい。
【００２７】
一方、ステップＳ２０２においてＦＡＴ１２又はＦＡＴ１６のような既存のデジタルカメラと互換性のあるフォーマットで管理できる記録容量を越えている場合は、メモリ１０５に保存されている前回の初期化構成情報をもとに前回の初期化構成がパーティション分割をしていたかどうかを判定する（ステップＳ２０４）。Ｓ２０４において、初期化を初めて行う場合は前回の初期化構成がメモリ１０５に保存されていないが、その場合は、例えば、パーティションは分割しないで、大容量に対応できるＦＡＴ３２のような拡張フォーマットのみでフォーマットする初期化構成を仮の前回の初期化構成として用いて判定を行ってもよい。
【００２８】
ステップＳ２０４において、前回の初期化構成がパーティション分割をしていたと判断した場合、メモリ１０５に保存されている前回の初期化構成情報をもとに、最初のパーティションをＦＡＴ１６で管理できる最大記録容量を確保してＦＡＴ１６で初期化し、残りのパーティションをＦＡＴ３２で初期化するというような、互換・拡張混在フォーマットを混在する構成を初期値とする（ステップＳ２０５）。
【００２９】
また、ステップＳ２０４において、前回の初期化構成がパーティションを分割していないと判断した場合、例えばＦＡＴ３２のような拡張フォーマットで全体を初期化する構成を初期値とする（ステップＳ２０６）。
【００３０】
Ｓ２０３、Ｓ２０５又はＳ２０６を経てユーザに提示する初期化方法の選択肢の初期値が決定した後、その他の選択肢として、領域を自由に分割する選択肢を加え、ＯＳＤ回路１０９を制御してモニタ１０８に初期化方法のメニューを表示する（ステップＳ２０７）。
【００３１】
メニューの中からユーザが選択した後（ステップＳ２０８）、先頭から順に指定された記録容量でパーティションを作成し（ステップＳ２０９）、指定された形式でフォーマットする（ステップＳ２１０）。その後、設定された最後のパーティションまで処理が終わっているかどうかを判定し（ステップＳ２１１）、終わっていない場合はステップＳ２０９に戻り、引き続き指定された記録容量でパーティションを作成し、ステップＳ２１０でフォーマットするという繰り返し処理を行う。
【００３２】
図３は、ＯＳＤ回路１０９によりカード操作メニュー３０１をモニタ１０８に表示した状態を示す。
【００３３】
ユーザがコントローラ１０４でカード操作メニューボタン等を操作すると、カード操作メニュー３０１が表示される。ユーザがコントローラ１０４に備わっている上下キー等で初期化項目３０２を選択すると、図２のステップＳ２０７まで進み、初期化メニューを表示した状態になる。図３は、図２のステップ２０６を経由した例であり、拡張フォーマット項目３０３を初期選択状態として、領域・フォーマット指定項目３０４と併せて２つの選択肢を表示している。
【００３４】
また、図３のように項目を選択するメニューにおいては、説明欄３０５を設け、ユーザが選択している項目の説明を表示することも可能である。ここで、拡張フォーマット項目３０３を選択すると、全容量を１つの領域として、拡張フォーマットで初期化する。
【００３５】
なお、初期化を行う際に、一旦、初期化確認画面に移行し、ユーザに対して再度確認を行うことも考えられる。
【００３６】
図４は、領域数及びその容量とフォーマットを指定する画面である。図３において、初期化項目３０２を選択し、領域・フォーマット指定項目３０４を選択すると、図４に示す画面に切り替わる。即ち、より詳細な記録メディア初期化方法を指定できるユーザインタフェースが表示される。
【００３７】
ここでは、最初に設定容量項目４０２が選択されている。この状態からコントローラ１０４でユーザが右方向の操作をすると、容量設定項目４０４が選択される。この状態で上下方向の操作で数値を増減させることにより、作成するパーティションのサイズ（記録容量）を指定できる。
【００３８】
次に、容量設定項目４０４の位置から左方向の操作で設定容量項目４０２に戻り、さらに下方向の操作でフォーマット項目４０３が選択され、この状態から右操作でＦＡＴ１２を示す項目４０５に移り、上下操作によりその他の項目４０６〜項目４０８を選択できる。
【００３９】
また、フォーマット方式を選択する際に、容量設定項目４０４の値に応じて、設定可能でないものは、図５中の項目４０５のように、選択できない状態であることを示すように色を変化させて表示することも可能である。また、選択できない状態の項目は、上下操作でその位置を選択できないようにしてもよい。
【００４０】
作成しようとするパーティションの記録容量とフォーマット方式を設定した後、同様の方向操作で設定項目４０９を選択し。決定操作をすると、１つの領域が設定される。残容量を示している欄４０１に全容量に対して設定されていない残容量を再計算し、表示を変更する。
【００４１】
同様の手順で、次のパーティションも記録容量とフォーマット形式を選択し、残容量が無くなるまでは、所望のパーティションの個数分だけ繰り返し設定することができる。各領域の設定が全て終わった段階で、実行項目４１０を選択し、決定操作をすると、実際に記録メディア１０６を設定された情報で初期化する。
【００４２】
図５は、図３において初期化項目３０２を選択した場合に表示する選択肢の別の例である。図３において、領域・フォーマット指定項目３０４の代わりに、互換フォーマット・拡張フォーマット項目５０１を表示している。互換フォーマット・拡張フォーマット項目５０１が選択された場合、領域は２分割とし、前半を互換フォーマットで管理可能な最大の領域を作り、残りを全て拡張フォーマットとする。このように、ユーザに対して自由に設定させる代わりに、固定化した初期化構成を選択肢とすることも可能である。
【００４３】
図６は、図２においてステップＳ２０５を経由した場合に表示する選択肢の別の例である。ここでは、初期選択肢として、互換フォーマット・拡張フォーマット項目６０１を選択した状態になっており、その他の選択肢としては、拡張フォーマット項目６０２を提示している。図６においても、図３のように領域・フォーマットを自由に指定できる領域・フォーマット指定項目３０４を提示する方法を採ることも考えられる。
【００４４】
図７は、図２においてステップＳ２０３を経由した場合に表示する選択肢の別の例である。ここでは、記録メディア１０６の記録容量が互換フォーマットのみで管理可能な容量以内であるので、互換フォーマット項目７０１のみを提示している。ユーザの操作により互換フォーマット項目７０１が選択されると、初期化処理を行う。
【００４５】
図７においても、図３のように領域数とそのフォーマットを自由に指定できるような、領域・フォーマット指定項目３０４を提示する方法を採ることも考えられる。また、本例では初期化項目３０２が選択された際に提示する選択肢が１つしか無いので、初期化項目３０２が選択された際に、互換フォーマット項目７０１を提示することなく、直接、初期処理を行うことも可能である。
【００４６】
図８は、記録メディア１０６を初期化する際のＣＰＵ１０３における別の処理動作を示すフローチャートである。
【００４７】
図２と同様のステップＳ２０１でメディアの記録容量を取得した後、過去に初期化した記録媒体の容量、並びに、その記録媒体を初期化した際の領域分割数、各領域の容量及び各領域のフォーマットの構成情報をメモリ１０５の記録から検索し、過去に初期化したことがある媒体か否か判定する（ステップＳ８０１）。
【００４８】
ステップＳ８０１で過去に初期化した媒体の場合は、その際の領域分割数、各領域の容量及び各領域のフォーマットの構成を、記録媒体初期化処理の初期値として決定する（ステップＳ８０２）。
【００４９】
また、ステップＳ８０１で過去に初期化したことの無い媒体と判定した場合、図２のステップＳ２０２と同様の処理で、互換フォーマットで管理できる容量かどうかを判定する。
【００５０】
互換フォーマットで管理できる容量以上の場合、初期化しようとしている記録メディア１０６が既に一度領域分割された初期化をされており、いずれかの領域にファイルが存在するか否かを検知する（ステップＳ８０３）。ステップＳ８０３で領域分割とファイルの存在を検知した場合、そのままの構成で初期化する選択肢を初期値と決定する（ステップＳ８０４）。ステップＳ８０３で領域分割とファイルの存在を検知しなかった場合、領域を１つとして拡張フォーマットのみで管理する構成を初期値と決定する（ステップＳ８０５）。
【００５１】
その後、図２と同様のステップＳ２０７で初期化メニューをユーザに提示する。
【００５２】
このようなフローで処理することにより、初めて大容量の記録メディアを初期化しようとした場合に、拡張フォーマットを勧めながら、ユーザが一度別の構成で初期化すればそれ以降、その構成を初期値とする初期化メニューを提示することが可能である。
【００５３】
なお、本発明の目的は、上述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００５４】
この場合、記憶媒体から読み出されたプログラムコード自体が上述した実施形態の機能を実現することになり、プログラムコード自体及びそのプログラムコードを記憶した記憶媒体は本発明を構成することになる。
【００５５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の記録メディア、ＲＯＭ等を用いることができる。
【００５６】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって上述した実施形態の機能が実現される場合も含まれることは言うまでもない。
【００５７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００５８】
【図１】本発明を適用したデジタルカメラの概略構成を示す図である。
【図２】記録メディアを初期化する際の処理動作を示すフローチャートである。
【図３】カード操作選択画面で、初期化が選択された場合の初期化方法選択画面の一例を示す図である。
【図４】初期化方法の選択画面で領域・フォーマット指定が選ばれた場合の指定画面の一例を示す図である。
【図５】カード操作選択画面で、初期化が選択された場合の初期化方法選択画面の別一例を示す図である。
【図６】カード操作選択画面で、初期化が選択された場合の初期化方法選択画面の別一例を示す図である。
【図７】カード操作選択画面で、初期化が選択された場合の初期化方法選択画面の別一例を示す図である。
【図８】記録メディアを初期化する際の別の処理動作を示すフローチャートである。
【符号の説明】
【００５９】
１００  レンズ
１０１  ＣＣＤ
１０２  信号処理回路
１０３  ＣＰＵ
１０４  コントローラ
１０５  メモリ
１０６  記録メディア
１０７  記録メディア制御回路
１０８  モニタ
１０９  ＯＳＤ回路
【図１】
2006146840.tif 000003
【図２】
2006146840.tif 000004
【図３】
2006146840.tif 000005
【図４】
2006146840.tif 000006
【図５】
2006146840.tif 000007
【図６】
2006146840.tif 000008
【図７】
2006146840.tif 000009
【図８】
2006146840.tif 000010